(57)【要約】      （修正有）【課題】含浸部材を安定的に収容することのできる化粧品容器を提供する。【解決手段】化粧品容器は、化粧料が含浸された含浸部材６００が収容される第１収容部が形成される第１容器１００と、第１収容部の周りに結合され、含浸部材の離脱を防止するように第１収容部に向かって第１固定部が形成される結合部３００と、を備える。また第１容器を密閉するように結合された第１カバー２００、及び第１容器を着脱可能に収容する第２収容部が形成された第２容器４００を備える。【選択図】図８
0003224104.tif 000002
【実用新案登録請求の範囲】
【請求項１】
化粧品容器であって、
化粧料が含浸された含浸部材が収容される第１収容部が形成される第１容器と、
前記第１収容部の周りに結合され、前記含浸部材の離脱を防止するように前記第１収容部に向かって第１固定部が形成される結合部と、を備える、化粧品容器。
【請求項２】
前記第１固定部は、上部面の一側から前記第１収容部側に下向き延長され、前記含浸部材が前記第１収容部の外側へ離脱することを防止する、請求項１に記載の化粧品容器。
【請求項３】
前記結合部は、前記第１固定部の先端から外側へ離隔して形成され、前記含浸部材の上面に対して前記第１固定部により支持される領域とは異なる領域を支持することにより、前記含浸部材を固定する第２固定部をさらに有する、請求項１に記載の化粧品容器。
【請求項４】
前記第２固定部は、前記第１固定部よりも前記第１収容部側へさらに下向き突出される、請求項３に記載の化粧品容器。
【請求項５】
前記含浸部材は、周縁が相互接合して形成され、接合部位を中心として上面と下面が互いに対向する凸状に形成される、請求項３に記載の化粧品容器。
【請求項６】
前記第１固定部と前記第２固定部は、前記含浸部材の上面の傾斜した前記接合部位の内側縁を加圧する、請求項５に記載の化粧品容器。
【請求項７】
前記第１容器は、前記第１収容部が前記含浸部材に対応する形状を有するように下面が膨らんで下向き突出される、請求項５に記載の化粧品容器。
【請求項８】
前記第１容器が脱着可能に結合されるが、前記第１容器が収容される第２収容部が形成される第２容器をさらに備える、請求項７に記載の化粧品容器。
【請求項９】
前記第２容器は、前記第２収容部の内側に前記第１容器が収容されるように下面が膨らんで下向き突出される、請求項８に記載の化粧品容器。
【請求項１０】
前記第２容器の下面の少なくとも一部が開放して形成され、前記第２収容部に収容された前記第１容器の少なくとも一部が外側に露出する、請求項８に記載の化粧品容器。
【請求項１１】
前記第２固定部は、少なくとも一つの加圧突起を有し、前記加圧突起の少なくとも一つが前記含浸部材の上面を貫通して前記含浸部材を固定する、請求項３に記載の化粧品容器。
【請求項１２】
前記第１固定部は、少なくとも一部が前記第１収容部の中心に向かって傾斜して形成される、請求項１に記載の化粧品容器。
【請求項１３】
前記第１容器が脱着可能に結合されるが、第２収容部が形成される第２容器をさらに備え、
前記第２収容部の内側面には、少なくとも一つの固定突起が内側へ突出して形成され、前記第１容器の外側面に、前記固定突起に対応する少なくとも一つの固定溝が形成され、前記第１容器の結合時、前記固定突起が対応する前記固定溝にそれぞれ結着される、請求項１に記載の化粧品容器。
【請求項１４】
前記第１容器には、前記第１収容部の周りに沿って第１枠部が上方へ突出して形成され、前記第１枠部に前記結合部が結合される、請求項１に記載の化粧品容器。
【請求項１５】
前記第１容器を密閉するように結合される第１カバーをさらに備え、
前記第１容器において前記第１枠部の外側に第２枠部が形成され、
前記第１カバーは、前記第２枠部に密着して前記第１容器を密閉する、請求項１４に記載の化粧品容器。
【請求項１６】
前記第１カバーが前記第２枠部に密着するとき、前記第１枠部に結合した前記結合部の上面に密着して前記第１容器を密閉する、請求項１５に記載の化粧品容器。
【請求項１７】
前記第１容器が脱着可能に結合されるが、第２収容部が形成される第２容器をさらに備え、
前記第１容器には、前記第２枠部の内側において、周りに沿って第３枠部が下側へ突出して形成され、
前記第３枠部は、前記第２容器の内側面と密着するが、前記第３枠部の外面には、少なくとも一つの固定溝が形成され、前記第２収容部の内側面の少なくとも一つの固定突起と結着される、請求項１５に記載の化粧品容器。
【請求項１８】
前記第１容器を密閉するように結合される第１カバーをさらに備え、
前記第１カバーには、前記第１容器に密着して、前記第１容器を密閉する密閉部が設けられる、請求項１に記載の化粧品容器。
【請求項１９】
前記第１カバーは、前記第１容器とヒンジを介して連結され、底面に、周りに沿って密着溝が形成されるカバー本体が設けられ、
前記密閉部は、前記カバー本体の周りに沿って形成され、前記カバー本体に向かって突出して形成された密着突起を有し、前記密着突起が前記密着溝に結合される、請求項１８に記載の化粧品容器。
【請求項２０】
前記密閉部には、前記第１容器の枠部の内側面に密着して、前記第１容器を密閉する密閉突起が下側へ突出して形成され、
前記密閉突起の外側に複数の結合突起が外側へ離隔して突出して形成され、前記枠部の内側に形成された結合溝に結合される、請求項１８に記載の化粧品容器。
【請求項２１】
前記結合溝は、周りに沿って一体で形成され、前記第１カバーが前記第１容器に対して密閉回動するとき、前記第１容器内の圧縮空気が、前記結合溝のうち、前記結合突起間の空間から抜け出る、請求項２０に記載の化粧品容器。
【請求項２２】
前記第１容器を密閉するように結合される第１カバーと、前記第１容器が脱着可能に結合される第２収容部が形成される第２容器と、前記第２容器を密閉するように結合される第２カバーと、をさらに備え、
前記第１カバーは、第１ヒンジにより回動するように構成され、前記第２カバーは、第２ヒンジにより回動するように構成され、前記第１ヒンジ及び前記第２ヒンジは、互いに一定の角度だけ離隔して構成される、請求項１に記載の化粧品容器。
【請求項２３】
前記第１容器を密閉するように結合される第１カバーをさらに備え、
前記第１カバーにおいて、前記第１容器との反対側の一面には内側に窪んでカバー収容部が形成される、請求項１に記載の化粧品容器。
【請求項２４】
前記カバー収容部に収容される塗布具をさらに備える、請求項２３に記載の化粧品容器。
【考案の詳細な説明】
【技術分野】
【０００１】
本考案は、化粧品容器に係り、さらに詳しくは、含浸部材を安定的に収容することのできる化粧品容器に関する。
【背景技術】
【０００２】
色調化粧品は、皮膚色を均一にし、欠点をカバーするために使うベースメーキャップと、唇、目、爪などに対して部分的に立体感を高めるポイントメーキャップとに分けられ、ベースメーキャップには、メーキャップベース、ファウンデーション、パウダーなどが含まれ、ポイントメーキャップには、リップスティック、アイライナー、マスカラなどが含まれている。
【０００３】
ファウンデーションは、化粧料の形態によって、固形ファウンデーション、液状ファウンデーション、ゲル状ファウンデーションに分けられ、固形ファウンデーションの場合、カバー力は高いが、化粧を直すときに凝集するという欠点がある。よって、近年、相当な持続力を有するとともに、皮膚への塗布時の密着感に優れた、液状またはゲル状ファウンデーションを好む消費者が多くなった。
【０００４】
これによって、液状またはゲル状ファウンデーション用の容器の開発も必要になっているが、一般には、液状またはゲル状ファウンデーションをガラス容器やチューブ容器に充填して使用するとき、使用者が手に取ったり、絞り出したりして、パフ又は手で皮膚に塗布するという方式が用いられた。しかし、従来技術では、使用者が使用するごとに手に化粧料がくっ付くことになり、毎度手を洗わなければならないので、使い勝手が悪いという問題点があり、このため、化粧料の損失が生じるという問題点があった。
【０００５】
上記した問題点を解決するために、コンパクト容器の内部に液状またはゲル状のファウンデーションを含浸させた含浸部材を内蔵し、含浸部材に含浸されたファウンデーションをパフなどの塗布具に付けて皮膚に塗るタイプのコンパクト容器が導入されたことがある。
【０００６】
この種のコンパクト容器では、必要に応じて、ファウンデーションが含浸された含浸部材を分離して入れ替えるようにするとともに、収容空間内に安定的に固定させなければならないことが必要であった。それで、従来は、含浸部材の収容空間に結合され、水平方向に段部を形成する環状の固定手段が主に用いられていた。
【０００７】
しかしながら、このような固定手段は、上面及び／または下面が平らな含浸部材を固定することに問題ないが、より多様な形状を有する含浸部材を効果的に支持するのに適していないという限界があった。特に、含浸部材が周縁から中心部に行くほど厚さが増える凸状である場合、この固定手段では、含浸部材を収容空間内に安定的に固定し難いという問題点があった。
【０００８】
したがって、このような諸問題を解決することのできる技術が求められる。
【考案の概要】
【考案が解決しようとする課題】
【０００９】
本考案は、前記諸問題を解決するためのものであり、含浸部材を安定的に収容することのできる化粧品容器を提供することを目的とする。
【００１０】
本考案の技術的課題は、上述した技術的課題に何ら制限されるものではなく、未言及の他の技術的課題は、次の記載から当業者にとって明らかに理解できる筈である。
【課題を解決するための手段】
【００１１】
本考案の一実施形態により、化粧品容器が提供される。前記化粧品容器は、化粧料が含浸された含浸部材が収容される第１収容部が形成される第１容器と、前記第１収容部の周りに結合され、前記含浸部材の離脱を防止するように前記第１収容部に向かって第１固定部が形成される結合部と、を備えてもよい。
【００１２】
好ましくは、前記第１固定部は、上部面の一側から前記第１収容部側に下向き延長され、前記含浸部材が前記第１収容部の外側へ離脱することを防止してもよい。
【００１３】
また、好ましくは、前記結合部は、前記第１固定部の先端から外側へ離隔して形成され、前記含浸部材の上面に対して前記第１固定部により支持される領域とは異なる領域を支持することにより、前記含浸部材を固定する第２固定部をさらに有してもよい。
【００１４】
さらに、好ましくは、前記第２固定部は、前記第１固定部よりも前記第１収容部側へさらに下向き突出されてもよい。
【００１５】
さらにまた、好ましくは、前記含浸部材は、周縁が相互接合して形成され、接合部位を中心として上面と下面が互いに対向する凸状に形成されてもよい。
【００１６】
さらにまた、好ましくは、前記第１固定部と前記第２固定部は、前記含浸部材の上面の傾斜した前記接合部位の内側縁を加圧してもよい。
【００１７】
さらにまた、好ましくは、前記第１容器は、前記第１収容部が前記含浸部材に対応する形状を有するように下面が膨らんで下向き突出されてもよい。
【００１８】
さらにまた、好ましくは、前記第１容器が脱着可能に結合されるが、前記第１容器が収容される第２収容部が形成される第２容器をさらに備えてもよい。
【００１９】
さらにまた、好ましくは、前記第２容器は、前記第２収容部の内側に前記第１容器が収容されるように下面が膨らんで下向き突出されてもよい。
【００２０】
さらにまた、好ましくは、前記第２容器の下面の少なくとも一部が開放して形成され、前記第２収容部に収容された前記第１容器の少なくとも一部が外側に露出してもよい。
【００２１】
さらにまた、好ましくは、前記第２固定部は、少なくとも一つの加圧突起を有し、前記加圧突起の少なくとも一つが前記含浸部材の上面を貫通して前記含浸部材を固定してもよい。
【００２２】
さらにまた、好ましくは、前記第１固定部は、少なくとも一部が前記第１収容部の中心に向かって傾斜して形成されてもよい。
【００２３】
さらにまた、好ましくは、前記第１容器が脱着可能に結合されるが、第２収容部が形成される第２容器をさらに備え、前記第２収容部の内側面には、少なくとも一つの固定突起が内側へ突出して形成され、前記第１容器の外側面に、前記固定突起に対応する少なくとも一つの固定溝が形成され、前記第１容器の結合時、前記固定突起が対応する前記固定溝にそれぞれ結着されてもよい。
【００２４】
さらにまた、好ましくは、前記第１容器には、前記第１収容部の周りに沿って第１枠部が上方へ突出して形成され、前記第１枠部に前記結合部が結合されてもよい。
【００２５】
さらにまた、好ましくは、前記第１容器を密閉するように結合される第１カバーをさらに備え、前記第１容器において前記第１枠部の外側に第２枠部が形成され、前記第１カバーは、前記第２枠部に密着して前記第１容器を密閉してもよい。
【００２６】
さらにまた、好ましくは、前記第１カバーが前記第２枠部に密着するとき、前記第１枠部に結合した前記結合部の上面に密着して前記第１容器を密閉してもよい。
【００２７】
さらにまた、好ましくは、前記第１容器が脱着可能に結合されるが、第２収容部が形成される第２容器をさらに備え、前記第１容器には、前記第２枠部の内側において、周りに沿って第３枠部が下側へ突出して形成され、前記第３枠部は、前記第２容器の内側面と密着するが、前記第３枠部の外面には、少なくとも一つの固定溝が形成され、前記第２収容部の内側面の少なくとも一つの固定突起と結着されてもよい。
【００２８】
さらにまた、好ましくは、前記第１容器を密閉するように結合される第１カバーをさらに備え、前記第１カバーには、前記第１容器に密着して、前記第１容器を密閉する密閉部が設けられてもよい。
【００２９】
さらにまた、好ましくは、前記第１カバーは、前記第１容器とヒンジを介して連結され、底面に、周りに沿って密着溝が形成されるカバー本体が設けられ、前記密閉部は、前記カバー本体の周りに沿って形成され、前記カバー本体に向かって突出して形成された密着突起を有し、前記密着突起が前記密着溝に結合されてもよい。
【００３０】
さらにまた、好ましくは、前記密閉部には、前記第１容器の枠部の内側面に密着して、前記第１容器を密閉する密閉突起が下側へ突出して形成され、前記密閉突起の外側に複数の結合突起が外側へ離隔して突出して形成され、前記枠部の内側に形成された結合溝に結合されてもよい。
【００３１】
さらにまた、好ましくは、前記結合溝は、周りに沿って一体で形成され、前記第１カバーが前記第１容器に対して密閉回動するとき、前記第１容器内の圧縮空気が、前記結合溝のうち、前記結合突起間の空間から抜け出るようにしてもよい。
【００３２】
さらにまた、好ましくは、前記第１容器を密閉するように結合される第１カバーと、前記第１容器が脱着可能に結合される第２収容部が形成される第２容器と、前記第２容器を密閉するように結合される第２カバーと、をさらに備え、前記第１カバーは、第１ヒンジにより回動するように構成され、前記第２カバーは、第２ヒンジにより回動するように構成され、前記第１ヒンジ及び前記第２ヒンジは、互いに一定の角度だけ離隔して構成されてもよい。
【００３３】
さらにまた、好ましくは、前記第１容器を密閉するように結合される第１カバーをさらに備え、前記第１カバーにおいて、前記第１容器との反対側の一面には内側に窪んでカバー収容部が形成されてもよい。
【００３４】
さらにまた、好ましくは、前記カバー収容部に収容される塗布具をさらに備えてもよい。
【考案の効果】
【００３５】
本考案によれば、結合部が、容器の内側に配置された化粧溶液が含浸された含浸部材を上側から支持することにより、含浸部材が離脱しないように安定的に固定することができる。特に、結合部の固定部を複数で構成し、外側に行くほど固定部の突出長さをさらに長く形成して、凸状を有する含浸部材をさらに安定的に固定することができる。
【００３６】
また、外側に配置される結合部の固定部の先端に複数の加圧突起を形成し、加圧突起の少なくとも一部を、含浸部材のメッシュ構造を通過して貫通させることにより、含浸部材への固定力を極大化することができる。
【００３７】
また、容器内に含浸部材を収容するとき、含浸部材の露出部位が、その中心が上側に膨らんで突出した形態を有するようになるので、含浸部材から吐き出されてから塗布具に付かなかった残余の化粧料が外部に漏れず、周辺に収集されて、含浸部材に効果的に再吸収され得る。
【図面の簡単な説明】
【００３８】
本考案の詳細な説明の欄において引用される図面をより十分に理解するために、各図面についての簡単な説明が提供される。
【図１】本考案の一実施形態に係る化粧品容器を示す図である。
【図２】図１の化粧品容器のうち、第１容器を示す図である。
【図３】図１の化粧品容器のうち、第１カバーを示す図である。
【図４】本考案の一実施形態に係る結合部を示す図である。
【図５】本考案の一実施形態に係る結合部を示す図である。
【図６】本考案の一実施形態に係る化粧品容器を示す図である。
【図７】本考案の一実施形態に係る化粧品容器を示す図である。
【図８】図７の化粧品容器が分解された状態を示す図である。
【図９】本考案の一実施形態に係る含浸部材を示す図である。
【考案を実施するための形態】
【００３９】
以下、添付された図面を参照して、本考案の好適な実施形態について詳述する。各図面の構成要素に参照符号を付加するに当たって、同一の構成要素に対しては、たとえ他の図面上に表れても、できる限り同一の符号を付与することに留意してほしい。また、本考案の実施形態を説明するに当たって、関連した公知構成または機能についての具体的な説明が本考案の実施形態についての理解を妨害すると判断される場合は、その詳細な説明を省略する。また、本考案の実施形態について後述するが、本考案の技術的思想は、これらに限定または制限されず、当業者によって変形されて多様に実施され得る。
【００４０】
明細書の全般にわたって、ある部分が他の部分に「連結」されているとは、「直接的に連結」されている場合のみならず、その中間に他の素子を介して「間接的に連結」されている場合も含む。また、ある部分がある構成要素を「備える」とは、特に拘りがない限り、他の構成要素を除くのではなく、他の構成要素をさらに備えてもよいことを意味する。また、本考案に係る実施形態の構成要素を説明するに当たって、第１、第２、Ａ、Ｂ、（ａ）、（ｂ）などの用語を使っている。これらの用語は、単にその構成要素を他の構成要素と区別するためのものであって、その用語により当該構成要素の本質、順序または手順などが限定されるものではない。
【００４１】
図１は、本考案の一実施形態に係る化粧品容器を示す図であり、図２は、図１の化粧品容器のうち、第１容器を示す図であり、図３は、図１の化粧品容器のうち、第１カバーを示す図であって、図３の（ａ）は、第１カバーの側面図であり、図３の（ｂ）は、第１カバーの側断面図である。
【００４２】
図１乃至図３を参照すると、化粧品容器１０００は、第１容器１００と第１カバー２００を備える。
【００４３】
第１容器１００は、内部に化粧料が含浸された含浸部材（図７の６００）を収容する。含浸部材６００を収容するために、第１容器１００には、第１収容部１１０が形成される。第１収容部１１０の少なくとも一部は、含浸部材６００に対応する形状を有する。
【００４４】
一実施形態において、第１容器１００の上部には、第１枠部１２０が形成される。第１枠部１２０は、第１収容部１１０の周りに沿って上側へ突出して形成され、含浸部材６００を支持するための結合部（図４の３００）が結合される。すなわち、結合部３００が第１容器１００の第１枠部１２０に結合され、第１収容部１１０に収容される化粧料が含浸された含浸部材６００の少なくとも一領域を加圧または支持することにより、第１収容部１１０の外側へ離脱しないように、含浸部材６００を固定する。結合部３００は、含浸部材６００が第１収容部１１０の開放した上面から外部に露出するように、中央部分が開放した環状で構成されてもよいが、これに限定されない。
【００４５】
一実施形態において、第１容器１００の上部には、第１枠部１２０から外側に離隔して配置される第２枠部１３０が形成される。第２枠部１３０は、第１枠部１２０よりも外側において、周りに沿って上側へ突出して形成される。第２枠部１３０には、第１カバー２００が密着して第１容器１００を密閉する。
【００４６】
一実施形態において、第１容器１００の下部には、周りに沿って第３枠部１４０が形成される。例えば、第３枠部１４０は、第１収容部１１０を形成する第１容器１００の下端部分を外側へ離隔して取り囲むように形成される。第１容器１００が第２容器（図６の４００）と結合するとき、第３枠部１４０は、第２容器４００の内側面に密着する。
【００４７】
一実施形態において、第３枠部１４０は、第１容器１００の上部の第２枠部１３０と連続して構成されるが、第２枠部１３０よりも第１収容部１１０に近づいて形成（すなわち、外径が第２枠部１３０よりも小さく形成）されることにより、第２枠部１３０と第３枠部１４０との連結部位に段部（図示せず）が形成される。このような段部は、第２容器４００との結合時、第２容器４００の第２収容部（図６の４１０）に対応して形成される段部に定着される。
【００４８】
一実施形態において、第１容器１００は、第２容器４００の第２収容部４１０に脱着可能に結合される。例えば、第１容器１００は、第２容器４００の第２収容部４１０への定着のため、少なくとも一部が第２収容部４１０に対応する形状を有し、第１容器１００の外側面（例えば、第３枠部１４０の外面）には、第２収容部４１０の固定突起４３０に対応する少なくとも一つの固定溝１５０が形成される。第１容器１００が第２収容部４１０の内側に挿入されると、第１容器１００の固定溝１５０にそれぞれ対応する固定突起４３０が結着されることにより、第１容器１００と第２容器４００との間の結合を固定するようになる。
【００４９】
第１カバー２００は、第１容器１００を開放または密閉するものであって、カバー本体２１０、取っ手部２２０、密閉部２３０、及びカバー収容部２４０を有する。第１カバー２００は、第１容器１００の一側に第１ヒンジを介して結合され、このような第１ヒンジによって回動することにより、第１容器１００を密閉または開放することができる。
【００５０】
カバー本体２１０は、第１ヒンジに連結され、第１カバー２００を回動させ、第１容器１００の少なくとも一部を密閉及び開放し、取っ手部２２０、密閉部２３０、及びカバー収容部２４０が形成及び結合される空間を提供する。
【００５１】
取っ手部２２０は、カバー本体２１０の外側へ突出して形成されている。使用者の把持のためのものであって、取っ手部２２０を介して、使用者が第１カバー２００を回動させ、第１容器１００を容易に開放及び密閉することができる。回動しやすくするために、取っ手部２２０は、第１ヒンジの反対側に形成されることが好ましいが、これに限定されない。
【００５２】
カバー本体２１０の底面（すなわち、第１容器１００側）には、第１容器１００の密閉のための密閉部２３０が設けられる。従来、密閉のための構成が硬性材質のプラスチックからなり、または硬質プラスチックに軟性材質の緩衝部を結合してなるのとは異なり、本考案による密閉部２３０は、全体が、例えば、ゴム、ウレタン、シリコンなどの軟性材質で形成されることにより、より堅固な密閉力を与えながら、製造が容易である。
【００５３】
一実施形態において、密閉部２３０は、カバー本体２１０の周りに沿って形成されるが、中央が開放されてもよく、特に、周りに沿ってカバー本体２１０に向かって突出した密着突起２３２が形成される。密着突起２３２に対応してカバー本体２１０の底面には、周りに沿って密着溝２１２が形成される。密着溝２１２と密着突起２３２によって、カバー本体２１０と密閉部２３０との間の結合のための接触面積（すなわち、接着物質の塗布面積）を増加させることにより、密閉部２３０は、さらに堅固にカバー本体２１０に結合される。
【００５４】
一実施形態において、密閉部２３０には、周りに沿って形成されるが、下側へ突出した密閉突起２３４が設けられる。第１ヒンジの回動によって、密閉部２３０が第１容器１００に結合するとき、密閉突起２３４は、第２枠部１３０の内側面に密着することにより、第１容器１００を密閉するようになる。堅固な密閉のため、密閉突起２３４の外径は、第２枠部１３０の内径よりも大きく形成されることが好ましく、但し、これに限定されない。
【００５５】
一実施形態において、密閉突起２３４の外側に、複数の結合突起２３６が形成される。結合突起２３６は、密閉突起２３４の外側面のうち、複数の領域が外側へ突出したものであって、複数個で形成されてもよく、これらは、周り方向に互いに離隔してもよい。第１容器１００の第２枠部１３０の内面には、結合突起２３６に対応する結合溝が形成されており、これによって、密閉部２３０が第１容器１００に結合するとき、結合突起２３６が結合溝に挿入され、密閉部２３０を第１容器１００に固定させるとともに、第１容器１００の密閉を達成することができる。
【００５６】
一実施形態において、結合突起２３６が複数個で離隔して形成されるのとは異なり、結合溝は、周りに沿って一体で形成される。すなわち、第１カバー２００と第１容器１００の結合によって、結合突起２３６が結合溝に挿入されるとき、第１カバー２００と第１容器１００との間において圧縮される空気が、密閉突起２３４の外側面のうち、結合突起２３６が形成されていない領域、及びこれに対応する結合溝から外部に抜け出るようにしてもよい。結合突起２３６が結合溝に挿入されてからは、密閉突起２３４が、第２枠部１３０の内側面に、周りに沿って堅固に密着して密閉を維持することができる。このように、密閉時に発生する第１カバー２００と第１容器１００との間における空気圧縮（すなわち、内圧）を効果的に解消することにより、第１カバー２００が第１容器１００を容易かつ安定的に密閉させることができる。
【００５７】
一実施形態において、カバー本体２１０における第１容器１００の反対側の一面には、カバー収容部２４０が形成される。カバー収容部２４０は、カバー本体２１０が内側に窪んで形成され、カバー収容部２４０の内側に、化粧料を塗布するための塗布具、例えば、パフ、ブラッシュなどが収容されるようになる。
【００５８】
一実施形態において、密閉部２３０の密閉突起２３４の内側の密閉底面２３８が追加の密閉を与える。具体的に、第１カバー２００が第１容器１００を密閉するとき、密閉底面２３８は、第１容器１００の第１枠部１２０に挿入された結合部３００の上面を加圧する。これによって、結合部３００の内側の含浸部材６００を一次的に密閉させ、密閉部２３０が二重の密閉を与えることができる。
【００５９】
一方、第１容器１００の第１収容部１１０に収容される含浸部材６００には、化粧料が含浸されてもよく、化粧料は、化粧用塗布具（例えば、パフなど）に付けて使われる。ここで、化粧料は、例えば、ローション、ミルクローション、モイスチャーローション、栄養ローション、スキンローション、スキンソフナー、スキントナー、アストリンゼント、マッサージクリーム、栄養クリーム、モイスチャークリーム、サンクリーム、エッセンス、サンミルク、ＢＢクリーム、化粧下地、ファンデーション、ＣＣクリーム、日焼け止めクリーム、ほお紅、コンシーラー、アイシャドウ、アイブローのような多様な化粧料を含んでもよく、前記化粧料は、液状またはゲル状が好ましいが、少なくとも一部が非液状（すなわち、固形または半固形）であってもよい。
【００６０】
また、含浸部材６００は、多孔性材質で構成され、内部に化粧料が含浸され、外力が加えられて、含浸した化粧料が吐き出されるものであって、例えば、天然ゴム、合成樹脂、ポリウレタン、ラテックス、アクリロニトリル・ブタジエンゴム（ＮＢＲ）、ブタジエンゴム（ＢＲ）、スチレン・ブタジエンゴム（ＳＢＲ）、クロロプレンゴム（ＣＲ）、ブチルゴム（ＩＩＲ）、イソプレンゴム（ＩＲ）、加硫エチレン・プロプレンゴム（ＥＰＲ）、多硫化ゴム、シリコンゴム、フッ素ゴム、ウレタンゴム、アクリルゴム、ＥＰＤＭ（Ｅｔｈｙｌｅｎｅ  ｐｒｏｐｙｌｅｎｅ  ｄｉｅｎｅ  ｍｏｎｏｍｅｒ）ゴム、ポリビニルアルコール（ＰＶＡ）及びエチレンビニルアセテート（ＥＶＡ）、ニトリルゴム、及びこれらの混合物からなる群より選ばれる一つ以上の材質からなってもよいが、これに限定されない。実施形態によって、含浸部材６００は、天然繊維、人造繊維、及びこれらの混合物からなる群より選ばれる一つ以上の繊維からなってもよい。
【００６１】
実施形態により、含浸部材６００は、上面６１０と下面６２０が互いに反対方向に突出して凸状からなり、上面６１０と下面６２０は、含浸された化粧料を外部に吐き出すために、多数の吐出孔が形成されたメッシュ構造であってもよい。このとき、吐出孔の形状は、円形、多角形など、多様である。前記メッシュ構造は、繊維糸などの製織により形成され、または発泡フォームまたはスポンジで形成されてもよく、但し、これに限定されず、吐出孔の形成のための種々の構成が適用可能である。
【００６２】
このような含浸部材６００の形状を考慮して、第１容器１００は、第１収容部１１０が含浸部材６００に対応する形状を有するように、下面６２０が膨らんで下向き突出される。
【００６３】
また、含浸部材６００は、第１収容部１１０に収容されるとき、結合部３００によって周り部分が加圧または支持され、凸状の中央部分が上側に突出して第１カバー２００の開放によって使用者に露出するようになっている。
【００６４】
一方、図１乃至図３に示す化粧品容器１０００の形状は、例示的なものであって、本考案が用いられる実施形態により、種々の構成が適用可能である。
【００６５】
図４及び図５は、本考案の実施形態に係る結合部を示す。具体的に、図４の（ａ）は、結合部の上面斜視図であり、図４の（ｂ）は、結合部の底面斜視図であり、図５は、結合部の断面図である。
【００６６】
結合部３００は、第１容器１００に結合され、第１容器１００に収容された含浸部材６００の離脱を防止することができる。このため、結合部３００は、環状からなり、第１容器１００の第１収容部１１０に収容された含浸部材６００を加圧または支持するための第１固定部３１０及び第２固定部３２０が形成される。
【００６７】
第１固定部３１０は、結合部３００の上部面の一側（例えば、環状の内側）から第１収容部１１０側に下向き延長され、先端が含浸部材６００の一領域に密着され、当該領域を加圧及び支持することができる。
【００６８】
一実施形態において、第１固定部３１０は、少なくとも一部が第１収容部１１０の中心に向かって傾斜して形成されてもよい。これは、本考案に係る含浸部材６００の上面の周りが傾斜して形成されることを勘案したものであって、これにより、第１固定部３１０は、含浸部材６００をさらに安定的に支持し、第２固定部３２０の形成空間を確保することができる。
【００６９】
第２固定部３２０は、第１固定部３１０の先端から外側に離隔して形成され、含浸部材６００の上面に対して第１固定部３１０とは異なる領域を加圧または支持することにより、含浸部材６００を固定することができる。第２固定部３２０により加圧される領域は、第１固定部３１０により加圧される領域よりも含浸部材６００の周縁に近く位置するので、第２固定部３２０は、第１固定部３１０よりも第１収容部１１０側へさらに下向き突出して構成される。
【００７０】
一実施形態において、第２固定部３２０は、少なくとも一つの加圧突起３２２を有する。例えば、加圧突起３２２は、第２固定部３２０の先端面において第１収容部１１０の周りに沿って離隔して配置される。このような加圧突起３２２が含浸部材６００の上面を加圧及び／または貫通することにより、含浸部材６００を移動または離脱しないように固定する。
【００７１】
実施形態により、結合部３００が第１容器１００と結合した状態で、結合部３００は、含浸部材６００を加圧及び／または貫通し、または含浸部材６００が第１容器１００から分離されようとするとき、結合部３００が、含浸部材６００を加圧及び／または貫通して含浸部材６００の離脱を防止する。
【００７２】
結合部５００の上部面の他の一側（例えば、環状の外側）には、これから下向き延長される第４枠部３３０が形成される。第１固定部３１０及び／または第２固定部３２０と第４枠部３３０との間の離隔空間に、第１容器１００の第１枠部１２０が挿入されて嵌合されることにより、結合部３００が第１容器１００に結合されるようになる。
【００７３】
一方、図４及び図５に示す結合部３００の形状は、例示的なものであって、本考案が用いられる実施形態により、種々の構成が適用可能である。例えば、図４及び図５では、結合部３００が第１固定部３１０及び第２固定部３２０を全て有するものを示しているが、本考案が用いられる実施形態により、第１固定部３１０及び第２固定部３２０のうち一つの構成のみが用いられてもよい。また、例えば、第２固定部３２０の加圧突起３２２については、代案的／付加的に、第１固定部３１０にも少なくとも一つの加圧突起が形成されてもよい。
【００７４】
図６は、本考案の一実施形態に係る化粧品容器を示す図である。
【００７５】
図６を参照すると、化粧品容器１０００’は、第２容器４００と第２カバー５００を備える。
【００７６】
第２容器４００は、その内部に第２収容部４１０が形成され、第１容器１００を収容する。第１容器１００の定着のために、第２収容部４１０の少なくとも一部は、第１容器１００の少なくとも一部の外形に対応する形状に形成される。
【００７７】
一実施形態において、第１容器１００の第１収容部１１０が含浸部材６００に対応する形状を有するように下面が膨らんで下向き突出されると、第２容器４００も、第２収容部４１０の内側に第１容器１００が収容されるように、下面が膨らんで下向き突出されている。
【００７８】
一実施形態において、第２容器４００の下面には、開放部４２０が形成されている。すなわち、第２容器４００の下面のうち、少なくとも一部が第２収容部４１０の外側に開放された開放部４２０が形成され、このような開放部４２０から、第２収容部４１０に収容された第１容器１００の下面のうち少なくとも一部が第２容器４００の外側に露出している。これにより、使用者は、外側に露出した第１容器１００の領域を上側へ加圧する方式により、第１容器１００を第２容器４００の第２収容部４１０から容易に分離することができる。
【００７９】
一実施形態において、第２収容部４１０の内側面には、第１容器１００との結合を固定するための少なくとも一つの固定突起４３０が形成される。これに対応して、第１容器１００の外側面には、少なくとも一つの固定溝１５０が形成される。すなわち、第１容器１００が第２収容部４１０の内側に挿入されると、第１容器１００の固定溝１５０にそれぞれ対応する固定突起４３０が結着することにより、第１容器１００と第２容器４００との間の結合を固定するようになる。
【００８０】
第２カバー５００は、第２容器４００を開放及び密閉するように結合される。例えば、第２カバー５００は、第２容器４００の一側に第2ヒンジを介して結合され、このような第2ヒンジにより回動することにより、第２容器４００を密閉または開放することができる。
【００８１】
一実施形態において、第１容器１００と第２容器４００との結合時、ヒンジの干渉を防止するために、第１容器の第１ヒンジと第２容器の第２ヒンジは、互いに一定の角度だけ離隔して配置されるようになる。
【００８２】
一方、第２容器４００と第２カバー５００の対応する位置（例えば、第２ヒンジの反対側）には、第２カバー５００の密閉状態を維持するためのロック部（図示せず）が形成されてもよい。
【００８３】
図６に示す化粧品容器１０００’の形状は、例示的なものであって、本考案が用いられる実施形態により、種々の構成が適用可能である。
【００８４】
図７は、本考案の一実施形態に係る化粧品容器を示す図であり、図８は、図７の化粧品容器が分解された状態を示す図である。
【００８５】
図７及び図８を参照すると、化粧品容器１０００”は、第１容器１００、第１カバー２００、結合部３００、第２容器４００、及び第２カバー５００を備える。
【００８６】
図示のように、第１容器１００の第１収容部１１０には、化粧料が含浸された含浸部材６００が収容される。例えば、含浸部材６００は、上面６１０と下面６２０が互いに反対方向に突出して凸状からなり、これに対応して、第１収容部１１０は膨らんで下向き突出される。第１収容部１１０の上側に結合部３００が結合し、含浸部材６００の離脱を防止することができる。
【００８７】
第１容器１００は、第２容器４００の第２収容部４１０に収容される。第１容器１００の第１収容部１１０が膨らんで下向き突出されることに対応して、第２収容部４１０の少なくとも一部も膨らんで下向き突出される。
【００８８】
また、第２収容部４１０は、一領域が開放され、第２容器４００に収容された第１容器１００の少なくとも一部を外部に露出させることができる。使用者は、外側に露出した第１容器１００の領域を上側へ加圧する方式により、第１容器１００を第２容器４００の第２収容部４１０から分離しやすくなる。
【００８９】
第１カバー２００が第１容器１００にヒンジ結合され、第１容器１００に対して回動する。このような回動によって、第１カバー２００が第１容器１００（特に、第１容器１００に収容された含浸部材６００）を開放及び密閉することができる。
【００９０】
同様に、第２カバー５００は、第２容器４００にヒンジ結合され、第２容器４００に対して回動する。回動によって、第２カバー５００が第２容器４００を開放及び密閉することができる。
【００９１】
第１カバー２００と第２カバー５００との間の回動干渉を防止するために、第１容器１００の第１ヒンジと第２容器４００の第２ヒンジは、互いに一定の角度だけ離隔して配置される。
【００９２】
図９は、本考案の一実施形態に係る含浸部材を示す図である。具体的に、図９の（ａ）は、含浸部材の斜視図であり、図９の（ｂ）は、含浸部材の側面図である。
【００９３】
図９を参照すると、含浸部材６００は、周縁６３０が相互接合されて形成される。このような接合は、本考案が用いられる実施形態により、種々の方式が適用可能である。例えば、接着物質、外部から熱が加えられる外熱接合、内部で熱を発生させる内熱接合などが行われる。これにより、本考案に係る含浸部材６００は、外側縁からの化粧料の漏れ、及びこれによる化粧品容器１０００、１０００’、１０００”の汚染、使用者の不便さなどを取り除くことができる。
【００９４】
このように、含浸部材６００は、周縁６３０が相互接合して形成されることにより、接合された周縁６３０を中心として上面６１０と下面６２０が互いに対向する凸状をなす。これにより、含浸部材６００の上面６１０は、少なくとも一領域において、周縁６３０に行くほど下向き傾斜し、下面６２０は、少なくとも一領域において、周縁６３０に行くほど上向き傾斜するようになってもよい。特に、含浸部材６００は、周縁６３０の内側縁部が、上記のように周縁６３０に向かって下向きまたは上向き傾斜して形成されてもよい。
【００９５】
一実施形態において、含浸部材６００の固定のために、結合部３００の第１固定部３１０と第２固定部３２０は、含浸部材６００の上面６１０の傾斜した周縁６３０の内側縁を加圧して、含浸部材６００を固定するようになる。このとき、結合部３００は、外側に配置された第２固定部３２０が、第１固定部３１０よりも第１容器１００の第１収容部１１０側へさらに下向き突出されることにより、このような傾斜した周り部分を効果的に加圧して、含浸部材６００を安定的に第１収容部１１０の内部に固定することができるようになる。
【００９６】
以上のように、図面及び明細書において最適な実施形態が開示された。ここで、特定の用語が用いられたが、これは単に本考案を説明するための目的で用いられたものに過ぎず、意味を限定したり、請求の範囲に記載の本考案の範囲を制限したりするために用いられたものではない。よって、この技術分野における通常の知識を有する者であれば、これから種々の変形及び均等な他の実施形態が可能であることが理解されるであろう。よって、本考案の真の技術的な保護範囲は、添付の請求の範囲の技術的思想によって定められるべきである。
【符号の説明】
【００９７】
１００  第１容器
１１０  第１収容部
１２０  第１枠部
１３０  第２枠部
１４０  第３枠部
１５０  固定溝
２００  第１カバー
２１０  カバー本体
２１２  密着溝
２２０  取っ手部
２３０  密閉部
２３２  密着突起
２３４  密閉突起
２３６  結合突起
２３８  密閉底面
２４０  カバー収容部
３００  結合部
３１０  第１固定部
３２０  第２固定部
３２２  加圧突起
３３０  第４枠部
４００  第２容器
４１０  第２収容部
４２０  開放部
４３０  固定突起
５００  第２カバー
６００  含浸部材
６１０  上面
６２０  下面
６３０  周縁
１０００、１０００’、１０００”  化粧品容器
【図１】
0003224104.tif 000003
【図２】
0003224104.tif 000004
【図３】
0003224104.tif 000005
【図４】
0003224104.tif 000006
【図５】
0003224104.tif 000007
【図６】
0003224104.tif 000008
【図７】
0003224104.tif 000009
【図８】
0003224104.tif 000010
【図９】
0003224104.tif 000011